(57)【要約】      （修正有）【課題】ビーズ１段で編成されるビーズ織物に２段，３段の複数段のビーズを模様，図柄として織込むための複数段のビーズ織物の製織法とそのビーズ織物の提供。【解決手段】ビーズ１段Ｂ１の織物上に２段目Ｂ２または３段目などのビーズを緯糸ｙｘのみにより重ね合わせて多数の経糸ｔｘに織込んで得ることを特徴とする複数段のビーズ織物の製織法。【選択図】図１−３
2010189811.tif 000002
【特許請求の範囲】
【請求項１】
ビーズ間隔を保持して張設される第１ないし第ｎの多数の経糸に対し、前記第１の経糸に結束または折り返される緯糸を、多数のビーズの中央孔に、正方向に挿通し、第ｎの経糸に折り返されて、前記多数のビーズの中央孔に反対方向より挿通させて二重とすると共に、前記緯糸を前記経糸の上下に亘って配設して、隣り合うビーズの間に経糸を臨ませ、この手法と同一の手法で緯方向に連続されるビーズを、経方向に順次と延長して経緯方向の平面状に編成されるビーズ織物の製織法において、
特定の緯糸に挿通される特定のビーズの上に新たな２段目のビーズを配置し、前記緯糸を前記ビーズの中央孔の出口側と接する側の前記経糸の下側から上側に折り返し、新たな２段目のビーズの中央孔の出口側より挿通して入口側より導出し、かつ特定のビーズの入口側の経糸の上側より下側に折り返し、さらにこの緯糸を前記特定のビーズの中央孔の入口側より挿通し、出口側より導出して新たな２段目のビーズを特定のビーズ上に重ねて上下２段に並設し、順次と同一の手法を繰り返して他の特定のビーズに他の新たな２段目のビーズを重ねて連続した２段のビーズ模様を形成できるようにしたことを特徴とする複数段のビーズ織物の製織法。
【請求項２】
ビーズ間隔を保持して張設される第１ないし第ｎの多数の経糸に対し、前記第１の経糸に結束または折り返される緯糸を、多数のビーズの中央孔に、正方向に挿通し、第ｎの経糸に折り返されて、前記多数のビーズの中央孔に反対方向より挿通させて二重とすると共に、前記緯糸を前記経糸の上下に亘って配設して、隣り合うビーズの間に経糸を臨ませ、この手法と同一の手法で緯方向に連続されるビーズを、経方向に順次と延長して経緯方向の平面状に編成されるビーズ織物の製織法において、
特定の緯糸に挿通される特定のビーズの上の新たな２段目のビーズを配置し、前記緯糸を前記ビーズの中央孔の出口側と接する側の前記経糸の下側から上側に折り返し、新たな２段目のビーズの中央孔の出口側より挿通して入口側より導出し、かつ特定のビーズの入口側の経糸の下側より上側に折り返し、さらに新たな３段目のビーズの中央孔の入口側より中央孔内に挿通して出口側より導出し、この導出された緯糸を前記２段目のビーズの出口側の経糸の下側から中央孔を反対側方向に挿通し、入口側より経糸の上側へ向けて導出し、かつ下側に向けて折り返し、最初の特定のビーズの中央孔の入口側より出口側に挿通して、上中下３段に並設し、順次と同一の手法を繰り返して他の特定のビーズに新たな２段目，３段目のビーズを重ねて連続した３段のビーズ模様を形成できるようにしたことを特徴とする複数段のビーズ織物の製織法。
【請求項３】
請求項１または２に記載の複数段のビーズ織物の製織法を用いて得られることを特徴とする複数段のビーズ織物。
【発明の詳細な説明】
【技術分野】
【０００１】
本発明は、通常のビーズ織物に２段，３段などの立体的な模様を形成できる複数段のビーズ織物の製織法とそのビーズ織物に関する。
【背景技術】
【０００２】
ビーズ織り自体は、その歴史はきわめて古く、ビーズ玉もガラス，貝殻などを使った彩色，デザインも多種多様である。
【０００３】
そして、糸を配設する手芸用ビーズ織機（例えば、特許文献１参照）とか、製織法（例えば、特許文献２参照）などが知られている。
【０００４】
之等の平面的なビーズ織りに対して、立体的に形成するビーズ織りも知られている（例えば、特許文献３参照）。
【先行技術文献】
【特許文献】
【０００５】
【特許文献１】特開２０００−３５５８４８号公報
【特許文献２】特開２００８−７８６６号公報
【特許文献３】特開平１０−８５０１２号公報
【発明の概要】
【発明が解決しようとする課題】
【０００６】
ところで、特許文献３に示される方法は、平面的に織り成されたビーズ織物に対し、模様箇所を他のビーズ織りされた当片を接着剤を用いて貼着するようにしたもので、緯糸または経糸を用いた一本の糸を用いて織物として連続性がなく違和感を生じ、質の高い立体的なビーズ織として提供できないという不都合があった。
【０００７】
本発明は、叙上の点に着目して成されたもので、飽くまでもビーズ１個宛に挿通される緯糸を連続使用して積層される他のビーズを同一箇所に重ね合わせて２段ないし３段のビーズ模様を織成作業によって得られるようにした複数段のビーズ織物の製織法とそのビーズ織物を提供することを目的とする。
【課題を解決するための手段】
【０００８】
本発明は、以下の構成によって上記課題を解決できるものである。
【０００９】
（１）ビーズ間隔を保持して張設される第１ないし第ｎの多数の経糸に対し、前記第１の経糸に結束または折り返される緯糸を、多数のビーズの中央孔に、正方向に挿通し、第ｎの経糸に折り返されて、前記多数のビーズの中央孔に反対方向より挿通させて二重とすると共に、前記緯糸を前記経糸の上下に亘って配設して、隣り合うビーズの間に経糸を臨ませ、この手法と同一の手法で緯方向に連続されるビーズを、経方向に順次と延長して経緯方向の平面状に編成されるビーズ織物の製織法において、
特定の緯糸に挿通される特定のビーズの上に新たな２段目のビーズを配置し、前記緯糸を前記ビーズの中央孔の出口側と接する側の前記経糸の下側から上側に折り返し、新たな２段目のビーズの中央孔の出口側より挿通して入口側より導出し、かつ特定のビーズの入口側の経糸の上側より下側に折り返し、さらにこの緯糸を前記特定のビーズの中央孔の入口側より挿通し、出口側より導出して新たな２段目のビーズを特定のビーズ上に重ねて上下２段に並設し、順次と同一の手法を繰り返して他の特定のビーズに他の新たな２段目のビーズを重ねて連続した２段のビーズ模様を形成できるようにしたことを特徴とする複数段のビーズ織物の製織法。
【００１０】
（２）ビーズ間隔を保持して張設される第１ないし第ｎの多数の経糸に対し、前記第１の経糸に結束または折り返される緯糸を、多数のビーズの中央孔に、正方向に挿通し、第ｎの経糸に折り返されて、前記多数のビーズの中央孔に反対方向より挿通させて二重とすると共に、前記緯糸を前記経糸の上下に亘って配設して、隣り合うビーズの間に経糸を臨ませ、この手法と同一の手法で緯方向に連続されるビーズを、経方向に順次と延長して経緯方向の平面状に編成されるビーズ織物の製織法において、
特定の緯糸に挿通される特定のビーズの上の新たな２段目のビーズを配置し、前記緯糸を前記ビーズの中央孔の出口側と接する側の前記経糸の下側から上側に折り返し、新たな２段目のビーズの中央孔の出口側より挿通して入口側より導出し、かつ特定のビーズの入口側の経糸の下側より上側に折り返し、さらに新たな３段目のビーズの中央孔の入口側より中央孔内に挿通して出口側より導出し、この導出された緯糸を前記２段目のビーズの出口側の経糸の下側から中央孔を反対側方向に挿通し、入口側より経糸の上側へ向けて導出し、かつ下側に向けて折り返し、最初の特定のビーズの中央孔の入口側より出口側に挿通して、上中下３段に並設し、順次と同一の手法を繰り返して他の特定のビーズに新たな２段目，３段目のビーズを重ねて連続した３段のビーズ模様を形成できるようにしたことを特徴とする複数段のビーズ織物の製織法。
【００１１】
（３）前記（１）または（２）に記載の複数段のビーズ織物の製織法を用いて得られることを特徴とする複数段のビーズ織物。
【発明の効果】
【００１２】
本発明によれば、ビーズ間隔を保持して多数の張架されている経糸に対し、緯糸を挿通して多数のビーズを編み込む過程において、予め求める模様に相当する特定のビーズと同一箇所に２段または３段のビーズを重ね合わせて編み込むことにより、１段だけで織成されるビーズ織物に部分的に２段または３段のビーズにより突出した図形，模様が得られ、極めて興趣に富んだビーズ織物を得ることができる。
【００１３】
この図柄，模様はビーズの色彩，模様を異にすることにより、より変化に富んだ作品が得られると共に、２段ビーズに加えて３段ビーズを一体的に編み込むことにより、更に変化に富んだ図柄，模様のビーズ織物を提供できる。
【００１４】
さらに必要ならば、４段などビーズの重合積層数を増やすこともでき、ビーズ織物の用途を拡大できる。
【図面の簡単な説明】
【００１５】
【図１−１】（ａ）ないし（ｅ）は、本発明に係る複数段を２段とした場合のビーズ織物の製織法を斜面で示す前段の作業工程図
【図１−２】（ｆ）ないし（ｊ）は、本発明に係る複数段を２段とした場合のビーズ織物の製織法を斜面で示す中段の作業工程図
【図１−３】（ｋ）ないし（ｏ）は、本発明に係る複数段を２段とした場合のビーズ織物の製織法を斜面で示す終段の作業工程図
【図２−１】（ａ）ないし（ｄ）は、本発明に係る複数段を３段とした場合のビーズ織物の製織法を斜面で示す前段の作業工程図
【図２−２】（ｅ）ないし（ｈ）は、本発明に係る複数段を３段とした場合のビーズ織物の製織法を斜面で示す中段の作業工程図
【図２−３】（ｉ）ないし（ｋ）は、本発明に係る複数段を３段とした場合のビーズ織物の製織法を斜面で示す終段の作業工程図
【図３】図１−１ないし図１−３に示すビーズ織物の製織法によって得られる２段ビーズ織模様を備えた本発明に係る複数段のビーズ織物で、（ａ）は斜視図、（ｂ）はＡ−Ａ線断面図、（ｃ）はＢ−Ｂ線から見た側面図
【図４】図２−１ないし図２−３に示すビーズ織物の製織法によって、得られた３段ビーズ織模様を備えた本発明に係る複数段のビーズ織物で、（ａ）は斜視図、（ｂ）は（ａ）を反転させた斜面図、（ｃ）は（ａ）のＣ−Ｃ線断面図
【図５】本発明に係るビーズ織物の基本手法を示す斜視説明図
【発明を実施するための最良の形態】
【００１６】
以下本発明を実施するための最良の形態を、実施例により詳しく説明する。
【実施例】
【００１７】
以下に、本発明の実施例について説明する。
【００１８】
まず、初めに本発明に係るビーズ織成の基本手法（織り方）について図５に基づいて説明する。
【００１９】
Ｔは多数の並列配列される縦方向の経糸で、ｔ１，ｔ２，ｔ３，……ｔｎで構成される。Ｙは同様に多数の並列に配列される横方向の緯糸で、ｙ１，ｙ２，ｙ３，……ｙｎで構成される。Ｂは多数のビーズで、それぞれの緯糸Ｙのｙ１，ｙ２，ｙ３，……ｙｎに針１（図示せず）により各ビーズＢの中央孔２内に挿通され、前記経糸ｔ１，ｔ２，ｔ３，……ｔｎに編みこまれる。
【００２０】
更に詳細には、基端を経糸ｔ１に結束固定された第１列目の緯糸ｙ１に、ビーズＢのｎ＋１個を中央孔２に挿通して正方向で連結し、最終列の経糸ｔｎで緯糸ｙ１を折り返して、ｎ＋１個のビーズＢを反対方向に中央孔２より挿通すると共に、ｎ＋１個のビーズＢを隣り合う経糸ｔ１，ｔ２，ｔ３，……ｔｎ−１の間に配置し、同時に各経糸ｔ１，ｔ２，ｔ３，……ｔｎを緯糸ｙ１が上下より挟み込む状態で、第１列目のビーズつき緯糸ｙ１が得られる。
【００２１】
そして、第２列目の緯糸ｙ２は、前記第１列目の緯糸ｙ１の延長部分とし、同一の緯糸ｙ１を、経糸ｔ１，ｔ２，ｔ３，……ｔｎに対して前記手法と同一の手法を用いて２列目のビーズＢを編み込み、第２列目のビーズつき緯糸ｙ２が得られる。
【００２２】
以上の手法を繰り返すことにより、第３列目，第４列目，……のビーズつき緯糸ｙ３，ｙ４，……を編み上げることができる。
【００２３】
このようにしてビーズＢが経緯方向の平面に広がった１段織りのビーズ織りを作ることができる。
【００２４】
つぎに、２段織りの場合について説明する。
【００２５】
図１−１ないし図１−３に織り方の基本を示す。
【００２６】
前述の１段織りのビーズ織りの途中において、特定のビーズＢ１の中央孔２に針１を用いて挿通された緯糸ｙｘ（ｂ）を、ビーズＢ１の中央孔２の出口側に臨まれる経糸ｔｘを下側から上側に折り返して（ｃ）（ｄ）、特定ビーズＢ１の上方に配設される２段目の新たなビーズＢ２の中央孔２の出口側より反対方向に進めて中央孔２内に挿通し（ｅ）、入口側より導出する（ｆ）と共に、隣り合う経糸ｔｘ−１の上側より下側に折り返して（ｇ）、再び同一の特定のビーズＢ１の入口側より中央孔２に挿通して出口側より緯糸ｙｘを導出し（ｈ）（ｉ）、その後、他の多数のビーズＢの中央孔２に順次挿通して、最終列の経糸ｔｎで折り返して、再びビーズＢの中央孔２を反対方向に進行させ（ｊ）（ｋ）（ｌ）、特定ビーズＢ１の上側に他のビーズＢ２を配設したビーズ単体の２段編成ができる（ｍ）（ｎ）（ｏ）。
【００２７】
このビーズ単体の２段編成は、図示では１回であるが、同様の手法を連結されるビーズＢの数を増減して行うことにより、自由に編成できる。
【００２８】
しかも、このビーズ単体の２段編成は、順次と隣り合う第２列，第３列……と継続して数多くの緯糸ｙ１，ｙ２，ｙ３，……で連続される数多くのビーズＢに対して全く同様の手法を繰り返して行うことにより、例えば、図３のような図形を形成でき、使用するビーズＢの色彩，材質などを変えることにより、興趣に富んだビーズ模様を立体的に表現できる。
【００２９】
以上の２段織りに続いて、３段織りの場合について説明する。
【００３０】
図２−１ないし図２−３に織り方の基本を示す。
【００３１】
前述の１段織りのビーズ織りの途中において、特定のビーズＢ１の中央孔２に挿通された針１に結び付けられた緯糸ｙｘを、ビーズＢ１の中央孔２の出口側に臨まれる経糸ｔｘを下側から上方に折り返して（ｂ）、前記特定のビーズＢ１の上方に配設される２段目の新たなビーズＢ２の中央孔２の出口側より反対方向に進め、中央孔２内に挿通し（ｃ）、かつ入口側に接する経糸ｔｘ−１の下側から上側に向けて折り返すと共に、さらに３段目のビーズＢ３の中央孔２の入口側より出口側に挿通する（ｄ）。
【００３２】
ついで、緯糸ｙｘは経糸ｔｘの上側から下側に向けると共に、２段目のビーズＢ２の出口側より中央孔２に挿通し（ｅ）、入口側より経糸ｔｘ−１の上側に向けて導出させ（ｅ）（ｆ）、さらに経糸ｔｘ−１の上側より下側に向けて折り返し乍ら、１段目のビーズＢ１の中央孔２に入口側より挿通し（ｇ）、ここに１段目，２段目および３段目のビーズＢ１，Ｂ２，Ｂ３を３段に重合させることができる。
【００３３】
そして、最終的にはこの一箇所の場合には、引き続き隣り合うビーズＢに順次と緯糸ｙｘを挿通し、最終段の経糸ｔｎに引掛けて反転し（ｈ）、前記した通りの基本手法を用いて、３重のビーズＢ１，Ｂ２，Ｂ３についても３段目のビーズＢ３に挿通させて終了する（ｉ）（ｊ）（ｋ）。
【００３４】
２列目，３列目……は、同様の織り方を反覆して、ビーズつき緯糸ｙ１，ｙ２，ｙ３，……を、緯糸ｔ１，ｔ２，ｔ３，……に組み込んで求められる図４に示すような立体的なビーズ織りを形成できる。
【００３５】
以上、ビーズＢの２段織り，３段織りの一例を示したが、両者を組み合わせて実施できると共に、同様の手法を用いてビーズの４重織り，５重織りも実施できる。
【符号の説明】
【００３６】
Ｔ（ｔ１，ｔ２，ｔ３，……ｔｘ−１，ｔｘ，ｔｎ−１，ｔｎ）    経糸
Ｙ（ｙ１，ｙ２，ｙ３，……ｙｎ）    緯糸
Ｂ，Ｂ１，Ｂ２，Ｂ３    ビーズ
１    針
２    中央孔
【図１−１】
2010189811.tif 000003
【図１−２】
2010189811.tif 000004
【図１−３】
2010189811.tif 000005
【図２−１】
2010189811.tif 000006
【図２−２】
2010189811.tif 000007
【図２−３】
2010189811.tif 000008
【図３】
2010189811.tif 000009
【図４】
2010189811.tif 000010
【図５】
2010189811.tif 000011
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
ビーズ間隔を保持して張設される第１ないし第ｎの多数の経糸に対し、前記第１の経糸に結束または折り返される緯糸を、多数のビーズの中央孔に、正方向に挿通し、第ｎの経糸に折り返されて、前記多数のビーズの中央孔に反対方向より挿通させて二重とすると共に、前記緯糸を前記経糸の上下に亘って配設して、隣り合うビーズの間に経糸を臨ませ、この手法と同一の手法で緯方向に連続されるビーズを、経方向に順次延長して経緯方向の平面状に編成されるビーズ織物の製織法において、
経糸の下側において特定の緯糸に挿通される特定のビーズの上に新たな２段目のビーズを配置し、
前記経糸の下側に配設された前記緯糸を前記特定のビーズの中央孔の出口側と接する側の経糸の下側から上側に折り返し、
新たな２段目のビーズの中央孔の出口側より該経糸を挟んで挿通して入口側に導出し、
かつ経糸の上側に配設された前記緯糸を前記特定のビーズの入口側の経糸の上側より下側に折り返し、
さらにこの緯糸を前記特定のビーズの中央孔の入口側より該経糸を挟んで挿通し、
出口側に導出して新たな２段目のビーズを特定のビーズ上に重ねて上下２段に並設し、
かつ前記第ｎの経糸に折り返され、経糸の上側に配設された前記緯糸を前記新たな２段目のビーズの出口側から入口側に導出し、
順次同一の手法を繰り返して他の特定のビーズに他の新たな２段目のビーズを重ねて連続した２段のビーズ模様を形成できるようにしたことを特徴とする複数段のビーズ織物の製織法。
【請求項２】
ビーズ間隔を保持して張設される第１ないし第ｎの多数の経糸に対し、前記第１の経糸に結束または折り返される緯糸を、多数のビーズの中央孔に、正方向に挿通し、第ｎの経糸に折り返されて、前記多数のビーズの中央孔に反対方向より挿通させて二重とすると共に、前記緯糸を前記経糸の上下に亘って配設して、隣り合うビーズの間に経糸を臨ませ、この手法と同一の手法で緯方向に連続されるビーズを、経方向に順次延長して経緯方向の平面状に編成されるビーズ織物の製織法において、
経糸の下側において特定の緯糸に挿通される特定のビーズの上に新たな２段目のビーズを配置し、
前記経糸の下側に配設された前記緯糸を前記特定のビーズの中央孔の出口側と接する側の経糸の下側から上側に折り返し、
新たな２段目のビーズの中央孔の出口側より該経糸を挟んで挿通して入口側に導出し、
かつ経糸の下側に配設された前記緯糸を前記特定のビーズの入口側の経糸の下側より上側に折り返し、
さらに前記２段目のビーズの上に配置された新たな３段目のビーズの中央孔の入口側より中央孔内に該経糸を挟んで挿通して出口側に導出し、
この導出された緯糸を前記２段目のビーズの出口側の経糸の下側から前記２段のビーズの中央孔に反対側方向より該経糸を挟んで挿通し、
入口側より経糸の上側へ向けて導出し、かつ下側に向けて折り返し、
最初の特定のビーズの中央孔の入口側より出口側に該経糸を挟んで挿通して、
ビーズを上中下３段に並設し、かつ前記第ｎの経糸に折り返され、経糸の上側に配設された前記緯糸を前記新たな３段目のビーズの出口側から入口側に導出し、順次同一の手法を繰り返して他の特定のビーズに新たな２段目，３段目のビーズを重ねて連続した３段のビーズ模様を形成できるようにしたことを特徴とする複数段のビーズ織物の製織法。
【請求項３】
請求項１または２に記載の複数段のビーズ織物の製織法を用いて得られることを特徴とする複数段のビーズ織物。
【手続補正２】
【補正対象書類名】明細書
【補正対象項目名】０００９
【補正方法】変更
【補正の内容】
【０００９】
（１）ビーズ間隔を保持して張設される第１ないし第ｎの多数の経糸に対し、前記第１の経糸に結束または折り返される緯糸を、多数のビーズの中央孔に、正方向に挿通し、第ｎの経糸に折り返されて、前記多数のビーズの中央孔に反対方向より挿通させて二重とすると共に、前記緯糸を前記経糸の上下に亘って配設して、隣り合うビーズの間に経糸を臨ませ、この手法と同一の手法で緯方向に連続されるビーズを、経方向に順次延長して経緯方向の平面状に編成されるビーズ織物の製織法において、
経糸の下側において特定の緯糸に挿通される特定のビーズの上に新たな２段目のビーズを配置し、前記経糸の下側に配設された前記緯糸を前記特定のビーズの中央孔の出口側と接する側の経糸の下側から上側に折り返し、新たな２段目のビーズの中央孔の出口側より該経糸を挟んで挿通して入口側に導出し、かつ経糸の上側に配設された前記緯糸を前記特定のビーズの入口側の経糸の上側より下側に折り返し、さらにこの緯糸を前記特定のビーズの中央孔の入口側より該経糸を挟んで挿通し、出口側に導出して新たな２段目のビーズを特定のビーズ上に重ねて上下２段に並設し、かつ前記第ｎの経糸に折り返され、経糸の上側に配設された前記緯糸を前記新たな２段目のビーズの出口側から入口側に導出し、順次同一の手法を繰り返して他の特定のビーズに他の新たな２段目のビーズを重ねて連続した２段のビーズ模様を形成できるようにしたことを特徴とする複数段のビーズ織物の製織法。
【手続補正３】
【補正対象書類名】明細書
【補正対象項目名】００１０
【補正方法】変更
【補正の内容】
【００１０】
（２）ビーズ間隔を保持して張設される第１ないし第ｎの多数の経糸に対し、前記第１の経糸に結束または折り返される緯糸を、多数のビーズの中央孔に、正方向に挿通し、第ｎの経糸に折り返されて、前記多数のビーズの中央孔に反対方向より挿通させて二重とすると共に、前記緯糸を前記経糸の上下に亘って配設して、隣り合うビーズの間に経糸を臨ませ、この手法と同一の手法で緯方向に連続されるビーズを、経方向に順次延長して経緯方向の平面状に編成されるビーズ織物の製織法において、
経糸の下側において特定の緯糸に挿通される特定のビーズの上に新たな２段目のビーズを配置し、前記経糸の下側に配設された前記緯糸を前記特定のビーズの中央孔の出口側と接する側の経糸の下側から上側に折り返し、新たな２段目のビーズの中央孔の出口側より該経糸を挟んで挿通して入口側に導出し、かつ経糸の下側に配設された前記緯糸を前記特定のビーズの入口側の経糸の下側より上側に折り返し、さらに前記２段目のビーズの上に配置された新たな３段目のビーズの中央孔の入口側より中央孔内に該経糸を挟んで挿通して出口側に導出し、この導出された緯糸を前記２段目のビーズの出口側の経糸の下側から前記２段のビーズの中央孔に反対側方向より該経糸を挟んで挿通し、入口側より経糸の上側へ向けて導出し、かつ下側に向けて折り返し、最初の特定のビーズの中央孔の入口側より出口側に該経糸を挟んで挿通して、ビーズを上中下３段に並設し、かつ前記第ｎの経糸に折り返され、経糸の上側に配設された前記緯糸を前記新たな３段目のビーズの出口側から入口側に導出し、順次同一の手法を繰り返して他の特定のビーズに新たな２段目，３段目のビーズを重ねて連続した３段のビーズ模様を形成できるようにしたことを特徴とする複数段のビーズ織物の製織法。